(57)【要約】【課題】  引ったくり等の強引な引き抜き行為に対し、転倒による擦り傷や骨折等の怪我から身を守ると共に、バッグの盗難防止に優れた効果を発揮することができるバッグ用吊下具を提供する。【解決手段】  バッグ２に装着される吊下紐３と、該吊下紐３に対して強い引っ張り力が生じた際にバッグ２と吊下紐３とを離脱させる係脱具１０と、を具備する。係脱具１０が、係止片１２を有する雄部材１１と、該係止片１２を係合する雌部材１５とからなり、吊下紐３に対して強い引っ張り力が生じた際に雄部材１１の係止片１２が雌部材１５から離脱する。【選択図】      図１
0003114894.tif 000002
【実用新案登録請求の範囲】
【請求項１】
バッグに装着される吊下紐と、該吊下紐に対して強い引っ張り力が生じた際に前記バッグと前記吊下紐とを離脱させる係脱具と、を具備することを特徴とするバッグ用吊下具。
【請求項２】
前記係脱具が、係止片を有する雄部材と、該係止片を係合する雌部材とからなり、前記吊下紐に対して強い引っ張り力が生じた際に前記雄部材の係止片が雌部材から離脱する請求項１記載のバッグ用吊下具。
【請求項３】
前記バッグが、バッグと身体とを連結する連結材を有する請求項１または２記載のバッグ用吊下具。
【考案の詳細な説明】
【技術分野】
【０００１】
本考案は、引ったくり等のバッグの引き抜き行為に対し、身体の安全確保と盗難防止機能に優れた効果を発揮することができるバッグ用吊下具に関する。
【背景技術】
【０００２】
従来、自転車の前かご内に収容することができるとともに、前かごから取出して使用することができ、かつ、引ったくり等の盗難を有効に防止することができるバッグは知られている（例えば、特許文献１参照）。
上掲特許文献１のバッグは、自転車の前かご内に収容可能であって、略長方形の底部と、底部の両長辺にそれぞれ連設されて立ち上げられた背面部及び前面部と、底部の両短辺にそれぞれ連設されて立ち上げられた左右の襠部と、から形成されたバッグ本体と、バッグ本体の背面部に連設されてバッグ本体の開口部を開閉し得る蓋と、からなるバッグであり、バッグ本体に止具が設けられ、また、蓋に止具または自転車の前かごに掛止可能な掛止部材が設けられている。
【特許文献１】特開２００３−３３９４２１号公報（第１−２頁、図１、図１）
【考案の開示】
【考案が解決しようとする課題】
【０００３】
しかしながら、上掲特許文献のバッグは、自転車走行中にバッグ本体を引き抜かれた場合、自転車の転倒を引き起こす可能性が高く、却って、擦り傷や骨折事故が発生し易くなるという欠点があった。また、バッグ本体を自転車の前かごに装着したり取り外したりする際の手間も無視できないものであった。さらに、バッグ本体を前かごから取出して使用する際に、容易にバッグを引き抜かれてしまうという問題もあった。
【０００４】
そこで本考案の目的は、引ったくり等の強引な引き抜き行為に対し、転倒による擦り傷や骨折等の怪我から身を守ると共に、バッグの盗難防止に優れた効果を発揮することができるバッグ用吊下具を提供することにある。
【課題を解決するための手段】
【０００５】
上記課題を解決するために本考案のバッグ用吊下具は、バッグに装着される吊下紐と、該吊下紐に対して強い引っ張り力が生じた際に前記バッグと前記吊下紐とを離脱させる係脱具と、を具備することを特徴とするものである。
【０００６】
本考案のバッグ用吊下具においては、前記係脱具が、係止片を有する雄部材と、該係止片を係合する雌部材とからなり、前記吊下紐に対して強い引っ張り力が生じた際に前記雄部材の係止片が雌部材から離脱するものとすることができる。また、前記バッグは、バッグと身体とを連結する連結材を有することが好ましい。
【考案の効果】
【０００７】
本考案によれば、バッグに装着される吊下紐に係脱具を設けることにより、引ったくり等によりバッグの吊下紐が強引に引き抜かれそうになったとき、係脱具部分から吊下紐のみが引き抜かれ、バッグ本体の盗難を回避することができる。また、この際、身体が受ける力は極めて少ないので、転倒による擦り傷や骨折等の怪我が生じることもない。さらに、バッグに、バッグと身体とを連結する連結材を設けておくことにより、吊下紐を持ち去られてもバッグが身体から離れ落ちることがない。
【考案を実施するための最良の形態】
【０００８】
以下、本考案のバッグ用吊下具における一実施の形態を図面に基づいて説明する。
図１に示すバッグ用吊下具１は、バッグ２に装着される吊下紐３と、スリが吊下紐３を強引に引き抜こうとしたときに、バッグ２と吊下紐３とを離脱させる係脱具１０とで構成されている。
【０００９】
図示する例では、吊下紐３は、バッグ２を肩から吊り下げることができる適宜長さと、適度な強度を有する素材にて形成されている。また、吊下紐３の基部には雄部材１１が、バッグ２の開口縁部５には、雌部材１５を装着させる連結紐４が、夫々装着されている。なお、吊下紐３の基部に雌部材１５を、連結紐４に雄部材１１を装着してもよい。また、バッグ２は図示する買い物バッグに限定されるものではなく、スポーツ用バッグやビジネスバッグ等の様々なバッグに適用できるのは言うまでもないことである。
【００１０】
雄部材１１は、図２および図３に示すように、基端には吊下紐３が連結され、先端には、外側に湾曲部１３を有する一対の係止片１２と、一対の係止片１２の間に設けられたガイド片１４とを有する。
【００１１】
雌部材１５は中空状を呈しており、先端には、前記雄部材１１の係止片１２とガイド片１４が嵌入される開口部１６が形成されている。また雌部材１５の両側面には、前記雄部材１１の係止片１２が配設される凹部１７が設けられている。また、雌部材１５の内部には、ガイド片１４を係止する一対のガイド部１８が形成されている。さらに、雌部材１５の基端には連結紐４が装着されている。
【００１２】
また、バッグ２には、バッグ２と身体ａとを連結する連結材２０を設けることが好ましい。かかる連結材２０は、一端がバッグ２の一部に装着される伸縮自在の紐体２１と、紐体２１の先端に具備された連結具２２とで構成されている。紐体２１の一端をバッグ２に装着し、連結具２２を身体の一部、例えば、ベルト等に装着することで、引ったくりが起き吊下紐３を引き抜かれても、バッグ２が身体から離れ落ちることがない。
【００１３】
次に、係脱具１０の雄部材１１と雌部材１５の嵌着および離脱状態を図４に基づいて説明する。
図４（ａ）においては、雄部材１１の係止片１２とガイド片１４を、雌部材１５の開口部１６より挿入し嵌着した状態を示す。この際、係止片１２の湾曲部１３は、雌部材１５の凹部１７に配設されると共に、ガイド片１４はガイド部１８内に係合される。また、係止片１２の湾曲部１３の基部は、開口部１６の両端に形成された縁部１９により掛止されている。また、縁部１９の基部であって、湾曲部１３の基部が配設される縁基部１９ａは緩徐な傾斜状に形成されている。そのため、通常の荷重、例えば、３〜５ｋｇ程度の重さでは雄部材１１は雌部材１５に嵌着されているが、吊下紐３に強い引っ張り力が生じた場合には、雄部材１１が雌部材１５から離脱する。なお、係止片１２の湾曲部１３の湾曲形状を変えることにより、離脱される荷重を任意に調整することができる。
【００１４】
図４（ｂ）においては、引ったくり等により吊下紐３が強引に引かれた状態を示す。この際、縁部１９に掛止されていた係止片１２は内側方向に折曲されると共に、湾曲部１３が縁部１９に沿って矢印方向へ移行する。この状態でさらに吊下紐３が強く引かれると、図４（ｃ）に示すように、雄部材１１は雌部材１５から離脱する。
【００１５】
本考案のバッグ用吊下具を上述の構造とすることにより、図５に示すように、歩行中に引ったくり等により吊下紐３が強引に引かれた場合、吊下紐３のみが取り外されてバッグ２が盗難されることはない。さらに、この際、バッグ２に、バッグ２と身体ａとを連結する連結材２０を設けておくことで、吊下紐３が抜き取られてても、バッグ２が身体から離れて落下することがない。
【図面の簡単な説明】
【００１６】
【図１】本考案のバッグ用吊下具の全体斜視図である。
【図２】雄部材と雌部材を係合させた状態の斜視図である。
【図３】雄部材と雌部材を離脱させた状態の斜視図である。
【図４】前記係脱具の離脱状態の正面図である。
【図５】本考案のバッグ用吊下具の使用状態を示す説明図である。
【符号の説明】
【００１７】
１      バッグ用吊下具
２      バッグ
３      吊下紐
４      連結紐
５      開口縁部
１０    係脱具    
１１    雄部材    
１２    係止片    
１３    湾曲部    
１４    ガイド片  
１５    雌部材
１６    開口部  
１７    凹部
１８    ガイド部
１９    縁部
１９ａ  縁基部
２０    連結部材    
２１    紐体    
２２    連結具    
ａ      身体
【図１】
0003114894.tif 000003
【図２】
0003114894.tif 000004
【図３】
0003114894.tif 000005
【図４】
0003114894.tif 000006
【図５】
0003114894.tif 000007